(57)【要約】      （修正有）【課題】補強材連結ピンを利用した擁壁用ブロック構造により、補強材材料費と施工費を節減させる強化された擁壁壁体を築造する施工方法を提供する。 【解決手段】道路切盛土部と斜面の安定性確保の為の施工及び橋梁橋台翼壁施工と堤防工事に汎用で使用される擁壁ブロック施工方法に於いて,基礎敷地掘り後基礎雑石を布設して基礎を固めた後、基礎用擁壁ブロックを設置する第一段階と、上記第一段階の基礎を固めた後基礎用擁壁ブロックを築いた後擁壁用ブロックを築く第二段階と、上記第二段階で築いた擁壁ブロック後方側中心部の挿入溝に補強材連結ピンを挿入する第三段階と、上記第三段階で挿入された補強材連結ピンを挿入された方向で水平方向に転換して固定させる第四段階と、上記第四段階で固定された補強材連結ピンの両側補強材係止部に補強材を連結する第五段階と、上記第五段階で連結された補強材を連結ピンに固定させる第六段階で構成される。 【選択図】図２
2006070689.tif 000002
【特許請求の範囲】
【請求項１】
道路切盛土部と斜面の安定性確保の為の施工及び橋梁橋台翼壁施工と堤防工事に汎用で使用される擁壁ブロック施工方法に於いて、基礎敷地堀後基礎雑石の布設後基礎用擁壁ブロックを設置する第一段階と；上記第一段階の基礎用ブロックの設置後、壁体用擁壁ブロックを築く第二段階と；上記第二段階で築いた擁壁ブロック後方側中心部の挿入溝にジオグリッド固定ピンを挿入する第三段階と；上記第三段階で挿入された補強材連結ピンを挿入された方向で水平方向に転換して固定させる第四段階と；上記第四段階で固定された補強材連結ピンの両側補強材係止部に補強材を連結する第五段階と；上記第五段階で連結された補強材の反対側連結ピンに固定させる第六段階で構成されるのを特徴とする擁壁ブロック構造の施工方法. 
【請求項２】
上記第五段階で補強材係止部に補強材を連結させれるのに於いて, 補強材連結ピン中心に補強材を固定させる第七段階を更に含む事を特徴とする請求項 1記載の擁壁ブロック構造の施工方法. 
【発明の詳細な説明】
【技術分野】
【０００１】
本発明は補強材連結ピンを利用してブロック後方側に連結して 擁壁の欠陥を最小化する為の擁壁ブロック構造の施工方法に関するものである. 
図1は従来擁壁施工方法を示した斜視図である. 
一般的に国内では1980年に建設部建設試験所で国道上に亜鉛鍍強板を補強材に使用した補強土擁壁を最初に試験施工し,それ以後建設試験所と韓国道路公社,韓国土地公社等で同一の補強材を使用した何件かの試験施工及び現場調査が成され,亜鉛鍍強板を補強材に使用した補強土擁壁に対する現場調査結果、亜鉛鍍金技術及び後詰め土(補強土)選定と施工管理等の問題が発見され,この様な傾向で国内で亜鉛鍍強板を補強材にする補強土擁壁は活性化されなかった.そして1986年に帯形土木繊維補強材が国内に導入されて亜鉛鍍強板の問題を解決する事で脚光を受け始め,高強度ジオグリッド(geogrid)を補強材に使用するブロック式補強土擁壁が1994年に国内に始めて導入され、現在は帯形土木繊維補強材を使用するパネル式補強土擁壁とジオグリッドを使用するブロック式補強土擁壁が幅広く活用されている. 
一方,上記した既存のパネル式補強土擁壁はその形態が単純で美観が良くなく,特に環境親和的な観点で見た時には植生が全く不可能で 擁壁面が周辺環境と調和が成されなく視覚的に非常に索漠な感じを与える弊害が有り,擁壁を成す下部パネルの破損時、破損されたパネルの上部 パネルは勿論隣接するパネルを大々的に解体した後、破損されたパネルを 交換しなければ成らなかったので、これの改補修が擁壁の新築以上に難しく多くの費用と人力(装備)が動員されなければならない問題点があった. 
尚,従来のブロック組み立て式補強土擁壁は、ブロックをジグザグ式に交差(行き違いに)築造したので築造後擁壁上部の荷重がせん断力で作用すれば交差された部分の下部ブロックが容易にせん断される問題点が有ったばかりか、これの改補修も上記したパネル組み立て式擁壁以上に難しい問題点があり, 既存の補強土擁壁用ブロックはブロックの顛倒、腹膨れ防止の為に前後の長さを左右の幅よりずっと長く製作しなければならなかったので、個々ブロックの荷重が重くそれ程多くの材料が所要されたし,擁壁の築造時にも重い荷重に依り作業に力が要るばかりでなく、作業に装備を動員するのが容易でないので施工期間が遅延される等の短所も有った.  
【発明の開示】
【発明が解決しようとする課題】
【０００２】
上記で記述した問題点をを解決する為に,本発明は擁壁ブロック構造を利用して強性化された擁壁壁体を築造する施工方法を提供する点にその目的がある. 
尚,補強材連結ピンを利用して補強材材料費と施工費を節減させる事が出来るようにする点にその目的がある. 
［発明の構成］
【０００３】
道路切盛土部と斜面の安定性確保の為の施工及び橋梁橋台翼壁施工と堤防工事に汎用で使用される擁壁ブロック施工方法に於いて、基礎敷地堀後基礎雑石の布設後基礎用擁壁ブロックを設置する第一段階と、上記第一段階の基礎を固めた後基礎用擁壁ブロック設置後壁体用擁壁ブロックを築く第二段階と、上記第二段階で築いた擁壁ブロック後方側中心部の挿入溝にジオグリッド固定ピンを挿入する第三段階と、上記第三段階で挿入された補強材連結ピンを挿入された方向で水平方向に転換して固定する第四段階と、上記第四段階で固定された補強材連結ピンの両側補強材係止部に補強材を連結する第五段階と、上記第五段階で連結された補強材の反対側縁を連結ピンに固定させる第六段階で構成される. 
尚,上記第五段階で補強材係止部にジオグリッドを連結するのに於いて, 補強材連結ピン中心に補強材を固定させる第七段階をさらに含むものである. 
以下,本発明の詳細な説明を添付された図面に依り詳細に説明する. 
図2は本発明に従う擁壁ブロック構造の施工方法を示した斜視図である. 基礎敷地堀後基礎雑石の布設後基礎用擁壁ブロックを設置する 第一段階と、上記第一段階の基礎を固めた後基礎用擁壁ブロック設置後壁体用擁壁ブロックを築く第二段階と、上記第二段階で築いた擁壁ブロック後方側中心部の挿入溝にジオグリッド固定ピンを挿入する第三段階と、上記第三段階で挿入された補強材連結ピンを挿入された方向で水平方向に転換して固定させる第四段階と、上記第四段階で固定された補強材連結ピンの両側補強材係止部に補強材を連結させる第五段階と、上記第五段階で連結された補強材の反対側縁を連結ピンに固定させる第六段階で構成される. 
図3は 図2に対する断面図である.補強材係止部に補強材を連結させるのに於いて,補強材連結ピン中心に補強材を固定させる第七段階を更に含むものである. 
以上の実施例等は本発明を説明する為のもので,本発明の範囲は実施例に限定されなく,添付された請求範囲に依り定義される本発明の範疇内に当業者等に依り変形又は修正する事が出来る.例えば,本発明の実施例に具体的に現れた各構成の要素の形状及び構造は変形して実施する事が出来るものである. 
【発明の効果】
【０００４】
以上の様に本発明の効果は環境親和的な観点で見た時には、植生が可能で擁壁面が周辺環境と調和を成す擁壁を施工する事が出来,上記施工方法である補強材連結ピンを利用すると擁壁の欠陥(ブロックの前面変位)を最小化する効果がある. 
尚,多様な補強材を使用する事が出来,補強材を節約して材料費と施工費を節減する事が出来る効果がある. 
【図面の簡単な説明】
【０００５】
【図１】従来擁壁施工方法を示した斜視図である.
【図２】本発明に従う擁壁ブロック構造の施工方法を示した斜視図である.
【図３】図2に対する断面図である.
【図１】
2006070689.tif 000003
【図２】
2006070689.tif 000004
【図３】
2006070689.tif 000005